(57)【特許請求の範囲】
【請求項１】
使用者を含む被写体を撮影してその撮影画像をプリントする画像プリント作成装置であって、
被写体を複数回撮影することにより複数の撮影画像を生成する撮影手段と、
上記撮影画像を表示して第２画像の入力を受け付ける入力可能表示部と、上記複数の撮影画像に対応した複数の縮小画像を表示する画像表示部とを含む画像を表示する表示手段と、
上記画像表示部に表示されている複数の縮小画像の中から第２画像の入力対象とする撮影画像に対応する縮小画像を選択する画像選択手段と、
使用者に第２画像を入力させる第２画像入力手段と、
上記撮影画像と第２画像を合成して合成画像を生成する画像合成手段と、
撮影画像や合成画像をプリント出力するプリント手段と、
上記入力可能表示部に表示されている撮影画像に入力された第２画像を、上記第２画像の入力が行なわれた撮影画像に対応する画像表示部における縮小画像に表示させるように制御する制御手段とを備えたことを特徴とする画像プリント作成装置。
【請求項２】
上記制御手段は、上記表示手段にペン入力の入力モードを選択する入力モード選択ボタンを表示し、上記入力モード選択ボタンの操作により消去モードが選択され、上記入力可能表示部に表示された第２画像も消去されるように制御する請求項１記載の画像プリント作成装置。
【請求項３】
上記第２画像入力手段を複数備え、
上記制御手段は、入力可能表示部を表示手段に複数表示し、上記複数の第２画像入力手段それぞれで、上記入力可能表示部のそれぞれに表示される撮影画像に対して同時に第２画像の入力を許容するよう制御する請求項１または２記載の画像プリント作成装置。
【請求項４】
使用者を含む被写体を撮影してその撮影画像をプリントする画像プリント作成方法であって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとを備えたことを特徴とする画像プリント作成方法。
【請求項５】
使用者を含む被写体を撮影してその撮影画像をプリントする画像プリント作成プログラムであって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとをコンピュータ装置に実行させることを特徴とする画像プリント作成プログラム。
【発明の詳細な説明】
【０００１】
【発明の属する技術分野】
本発明は、ゲームセンター等に設置され、硬貨等の投入により使用者を撮影し、撮影画像をプリントする画像プリント作成装置および方法ならびにプログラムに関するものである。
【０００２】
【従来の技術】
近年、ゲームセンター等において、写真を撮影してシールプリント等にする写真撮影装置が数多く設置されている。このような写真撮影装置としては、一般に、図８に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
【０００３】
上記写真撮影装置では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
【０００４】
【発明が解決しようとする課題】
しかしながら、上記写真撮影装置では、カメラ５５で撮影した写真をシール等の写真プリント５８として、その場で出力できるにすぎない。最近では、写真撮影装置利用人口の増加とともに、そのニーズも多様化している。そこで、これらのニーズに応えるため、使用者５４の画像に合成されるフレームや前景として各種の趣向を凝らしたものも数多く提供されているが、単にその場で写真プリント５８として出力するだけの画一的なものでは満足されなくなってきている。
【０００５】
そこで、最近では、カメラで撮影した画像をメモリに固定して液晶タブレット等に表示し、表示された固定画像にタッチペン等で手書き画像を入力して上記固定画像に合成する写真撮影装置も考案され実用化されている。
【０００６】
しかしながら、上記写真撮影装置では、液晶タブレットに表示された撮影画像に対して入力された手書き画像は、撮影画像と合成されて合成画像が入力画面に表示される。このため、液晶タブレットに入力画面以外の画面が表示されると、使用者には合成画像が見えなくなり、手書き画像の入力状態を確認することができなくなっていた。
【０００７】
また、上記写真撮影装置では、一旦撮影画像を静止画として固定してこの１枚の撮影画像に手書き画像を入力し合成してプリントするため、１回のプレイでは手書き画像が合成された撮影画像が１枚得られるにすぎない。ところが、１回のプレイで納得のいく撮影画像や手書き画像の入力を行なえればよいが、必ずしもそのような場合ばかりとは限らず、十分に納得できないままプレイが終了して画像がプリントアウトされてしまうこともしばしば起こりうる。このような場合、使用者としては、十分な満足を得ることができず、納得できるプリントを得るためには再び最初からプレイをやり直さなければならないため、時間も費用も同じだけかかり、無駄が多かった。一方、ゲームセンター等にとっては、同じ使用者に連続プレイをされると、それだけ顧客の回転率が悪くなって顧客に不満を与えかねない。
【０００８】
本発明は、このような事情に鑑みなされたもので、手書き画像の第２画像の入力状態を常に確認することができる画像プリント作成装置および方法ならびにプログラムの提供を目的とする。
【０００９】
【課題を解決するための手段】
上記の目的を達成するため、本発明の画像プリント作成装置は、使用者を含む被写体を撮影してその撮影画像をプリントする画像プリント作成装置であって、
被写体を複数回撮影することにより複数の撮影画像を生成する撮影手段と、
上記撮影画像を表示して第２画像の入力を受け付ける入力可能表示部と、上記複数の撮影画像に対応した複数の縮小画像を表示する画像表示部とを含む画像を表示する表示手段と、
上記画像表示部に表示されている複数の縮小画像の中から第２画像の入力対象とする撮影画像に対応する縮小画像を選択する画像選択手段と、
使用者に第２画像を入力させる第２画像入力手段と、
上記撮影画像と第２画像を合成して合成画像を生成する画像合成手段と、
撮影画像や合成画像をプリント出力するプリント手段と、
上記入力可能表示部に表示されている撮影画像に入力された第２画像を、上記第２画像の入力が行なわれた撮影画像に対応する画像表示部における縮小画像に表示させるように制御する制御手段とを備えたことを要旨とする。
また、本発明の画像プリント作成方法は、使用者を含む被写体を撮影してその撮影画像をプリントする画像プリント作成方法であって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとを備えたことを要旨とする。
また、本発明の画像プリント作成プログラムは、使用者を含む被写体を撮影してその撮影画像をプリントする画像プリント作成プログラムであって、
被写体を複数回撮影することにより複数の撮影画像を生成する撮影ステップと、
上記撮影画像を表示して第２画像の入力を受け付ける入力可能表示ステップと、
上記複数の撮影画像に対応した複数の縮小画像を表示する画像表示ステップと、
上記画像表示ステップで表示されている複数の縮小画像の中から第２画像の入力対象とする撮影画像に対応する縮小画像を選択する画像選択ステップと、
使用者に第２画像を入力させる第２画像入力ステップと、
上記撮影画像と第２画像を合成して合成画像を生成する画像合成ステップと、
撮影画像や合成画像をプリント出力するプリントステップと、
上記入力可能表示ステップで表示されている撮影画像に入力された第２画像を、上記第２画像の入力が行なわれた撮影画像に対応する画像表示ステップにおける縮小画像に表示させるステップとをコンピュータ装置に実行させることを要旨とする。
【００１０】
すなわち、本発明は、上記入力可能表示部に表示されている撮影画像に入力された第２画像を、上記第２画像の入力が行なわれた撮影画像に対応する画像表示部における縮小画像に表示させる。このため、撮影画像に対して入力された第２画像は、撮影画像と合成されてその合成画像が画像表示部に表示され、使用者は第２画像の入力状態を常に確認することができる。
【００１１】
本発明では、上記制御手段は、上記表示手段にペン入力の入力モードを選択する入力モード選択ボタンを表示し、上記入力モード選択ボタンの操作により消去モードが選択され、上記入力可能表示部に表示された第２画像も消去されるように制御するようにすることができる。
また、本発明では、上記第２画像入力手段を複数備え、
上記制御手段は、入力可能表示部を表示手段に複数表示し、上記複数の第２画像入力手段それぞれで、上記入力可能表示部のそれぞれに表示される撮影画像に対して同時に第２画像の入力を許容するよう制御することができる。
【００１２】
本発明の画像プリント作成装置において、上記第２画像受付手段において受け付けられた第２画像が、第２画像受付手段に表示されるとともに画像表示部にも表示されるようになっている場合には、使用者は第２画像を入力しながらその入力状態を常に確認することができる。
本発明の画像プリント作成装置において、複数の撮影画像を生成し、画像表示部に複数の撮影画像を表示するとともに、上記画像表示部の撮影画像を選択することにより第２画像受付手段に第２画像受付可能に表示する撮影画像を選択しうるようになっている場合には、複数の撮影画像から所望の撮影画像を選択して第２画像を入力することができる。そして、１つの撮影画像に入力された第２画像の状態を確認しながら他の撮影画像に対して第２画像を入力することができる。したがって、複数の画像を比べながら第２画像を入力でき、同じような第２画像の入力を回避して多様な合成画像を得ることができる。
【００１３】
本発明の画像プリント作成装置において、第２画像受付手段に撮影画像を第２画像入力可能に表示する入力可能表示部が複数設けられ、複数の撮影画像を生成し、上記複数の撮影画像を同時に第２画像入力可能に表示して第２画像を入力しうるようになっている場合には、複数の撮影画像に同時に第２画像を入力できる。このため、１回のプレイで使用者が納得できる撮影画像や第２画像を得やすく、使用者の満足度が高くなる。このため、プレイのやり直しの必要性が低下し、使用者にとっては時間と費用の節約となり、ゲームセンター等にとっては顧客の回転率の低下を防止できる。
【００１４】
本発明の画像プリント作成装置において、複数の撮影画像を生成し、上記複数の撮影画像を複数の入力可能表示部に割り当てて表示しうるようになっている場合には、複数人でプレイする場合に、複数人がそれぞれ第２画像を入力でき、それぞれの顧客の満足度が向上する。
【００１５】
本発明の画像プリント作成装置において、撮影手段で被写体を複数回撮影することにより複数の撮影画像を生成するようになっている場合には、１回のプレイで複数回の撮影による撮影画像を得てそれぞれ第２画像を入力して合成画像を得るため、使用者が納得できる撮影画像を得やすい。また、バラエティに富んだ合成画像が得られ、使用者の楽しみが大きくなる。
【００１６】
本発明の画像プリント作成装置において、撮影手段により撮影した１つの撮影画像から複数の撮影画像を生成するようになっている場合には、同じ撮影画像を使って異なる第２画像を入力して合成した写真が得られる。
【００１７】
本発明の画像プリント作成装置において、第２画像入力手段を複数備えている場合には、複数人でプレイする場合に、複数人がそれぞれ第２画像を入力でき、それぞれの顧客の満足度が向上する。
【００１８】
本発明の画像プリント作成装置において、上記画像表示部に撮影画像の縮小画像が表示されるようになっている場合には、画像表示部のサイズを小さくでき、第２画像受付可能に表示する撮影画像等の表示サイズを大きくできて画面スペースを有効活用できる。
【００１９】
本発明の画像プリント作成装置において、上記画像合成手段によって生成された合成画像が、即時的に画像表示部に表示されるようになっている場合には、合成画像の状態をリアルタイムに確認できる。
【００２４】
【発明の実施の形態】
つぎに、本発明の実施の形態を詳しく説明する。
【００２５】
図１および図２は、本発明の画像プリント作成装置の一実施の形態を示す図である。この画像プリント作成装置は、内部および表面に各種の装置が設けられた筐体１と、上記筐体１の上下から被写体２の背後まで達するように突き出された支柱３とを備えている。そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
【００２６】
上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。
【００２７】
また、上記筐体１の被写体２側には、上記コンピュータ装置７から送信された合成画像等の画像信号を受信して画像を表示するディスプレイ８が設けられている。さらに、上記筐体１の内部には、コンピュータ装置７から送信された画像データを受信し、この画像をプリント媒体１５に印刷するプリンタ９が設けられている。このプリンタ９で印刷されたプリント媒体１５は、筐体１前面に形成された送出口１９から送出されるようになっている。
【００２８】
さらに、上記筐体１の被写体２側には操作パネルが設けられ、この操作パネルにコントローラ１１が設けられている。上記コントローラ１１は、タッチペン１２を備えており、使用者２がディスプレイ８に表示される操作指示に従ってディスプレイ８の表面をタッチペン１２でタップ（軽く叩く）等することにより、各種の操作信号がコンピュータ装置７に送られ、後述する各種の操作が行なわれるようになっている。
【００２９】
また、上記タッチペン１２は、その先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、その合成画像がプリント媒体１５に印刷されるようになっている。
【００３０】
上記タッチペン１２は、複数（この例ではディスプレイ８の左右に１本ずつの計２本）備えられ、複数人でプレイする際に複数の使用者それぞれがペン入力画像を入力できてみんなが満足のいくプレイを楽しむことができるようになっている。
【００３１】
また、筐体１の前面には、対価としてのコインを投入するコイン投入口（図示せず）が設けられ、筐体１内部のコイン投入口１８に隣接した位置に、投入されたコインを検出してコンピュータ装置７に検出信号を送信するコイン検出部１７（図３参照）が設けられている。また、筐体１前面の適所には、コンピュータ装置７から音声信号を受信して出力するスピーカ（図示せず）が設けられている。
【００３２】
この例において、使用者２がディスプレイ８から見る画像およびプリンタ９から印刷される画像は、被写体２の撮影画像と、タッチペン１２による手書き入力画像等と上記撮影画像との合成画像である。
【００３３】
つぎに、上記コンピュータ装置７のシステム構成について詳しく説明する。
【００３４】
図３に示すように、コンピュータ装置７は、タッチペン１２によりディスプレイ８の入力部３５に入力された各種の操作信号をコントローラ１１を介して受信し、受信した操作信号に応じて各種制御を行なう制御手段３１を備えている。上記制御手段３１は、コイン検出部１７からの検出信号を受信することにより、撮影等の制御を開始するようになっている。
【００３５】
上記ディスプレイ８には、タッチペン１２によって手書き画像や操作信号が入力される入力部３５と、画像等を表示する表示部３６とが設けられている。上記タッチペン１２で入力された手書き画像等は、ペン入力画像記憶部３２に記憶され、記憶された手書き画像等のデータは、後述する画像合成手段３０に送られる。また、タッチペン１２によって入力された操作信号は、コントローラ１１を介して制御手段３１に送られ、各種の制御が行なわれる。
【００３６】
上記ディスプレイ８の表示部３６は、後述するように、複数（この例では２つ）のペン入力領域２９（図６参照）を有し、それぞれのペン入力領域２９に撮影画像を同時的に表示し、それぞれの撮影画像に対して手書き画像等のペン入力画像を並行して入力しうるようになっている。
【００３７】
上記コンピュータ装置７には固定画像記憶部３８が設けられ、上記被写体２によるタッチペン１２の操作により所望のシャッタタイミングで撮像映像を静止画像として固定するようになっている。また、上記コンピュータ装置７には、シャッタ操作によるカメラ６での撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４回等）に達するまで、所定の時間間隔で撮影を繰り返し、複数の撮影画像（静止画像）を得るようになっている。
【００３８】
上記複数の撮影画像は、ディスプレイ８の表示部３６に一覧表示されて使用者２に対してプレビュー確認させるようになっている。そして、上記一覧表示された複数の撮影画像のなかから使用者がタッチペン１２を操作して、撮影画像をどちらのペン入力領域２９に表示するかを割り振るようになっている。
【００３９】
さらに、上記コンピュータ装置７には画像合成手段３０が設けられ、上記固定画像記憶部３８に固定された静止画像に、タッチペン１２によってディスプレイ８の入力部３５に入力され、ペン入力画像記憶部３２に記憶された文字や図形等の手書き画像等を合成するようになっている。上記画像合成手段３０で合成された合成画像は、ディスプレイ８の表示部３６、すなわち、２つのペン入力領域２９（入力可能表示部）に表示されるようになっている。
【００４０】
そして、上記コンピュータ装置７には、画像選択手段３９が設けられ、それぞれのペン入力領域２９において、ペン入力領域２９に表示してペン入力画像の入力対象とする撮影画像を選択および／または切り替えしうるようになっている。すなわち、上記画像選択手段３９によって選択された撮影画像がペン入力領域２９に表示されてペン入力が行なわれる。
【００４１】
そして、入力途中や入力終了後あるいは入力前等に、画像選択手段３９によって他の撮影画像を選択すると、ペン入力領域２９に表示される画像が選択された他の撮影画像に切り替えられ、改めてペン入力できるようになっている。このように、上記画像選択手段３９で選択された撮影画像を、ディスプレイ８の表示部３６に切り替え表示しながら手書き画像等のペン入力画像の入力を行なうようになっている。
【００４２】
上記画像選択手段３９による画像の選択や切り替えは、後述するように、ペン入力領域２９に表示された画像選択ボタン２４をタッチペン１２で操作することにより行なわれる。そして、この画像プリント作成装置では、上記画像選択ボタン２４に、その画像選択ボタン２４を操作することにより選択しうる撮影画像の縮小画像が表示されるようになっている。また、ペン入力領域２９に表示させた撮影画像に手書き画像等を入力すると、入力された手書き画像等がペン入力領域２９の撮影画像に表示されるとともに、上記縮小画像にも表示されるようになっている。
【００４３】
このようにすることにより、撮影画像に対して入力されたペン入力画像は、撮影画像と合成されこの合成画像が画像選択ボタン２４（画像表示部）に表示され、使用者２はペン入力画像の入力状態を常に確認することができる。上記画像合成手段３０によって生成された合成画像は、即時的に画像選択ボタン２４に表示されるようになっている。このため、合成画像の状態をリアルタイムに確認できる。
【００４４】
また、上記コンピュータ装置７には、タッチペン１２によるペン入力画像の入力可能時間を計測するタイマ２６が設けられている。上記タイマ２６は、制御手段３１による手書き画像開始の指示メッセージをディスプレイ８に表示させるのとほぼ同時に計測を開始する。
【００４５】
また、上記コンピュータ装置７には、合成画像選択手段３３が設けられ、プリント出力する前に複数の合成画像のなかからプリント出力する合成画像を選択するようになっている。このようにすることにより、ペン入力画像の入力がうまくいかず、プリントする必要のない合成画像はプリントせずにすみ、気に入った合成画像だけをプリントできる。
【００４６】
さらに、上記コンピュータ装置７は、プリンタ９による印刷を制御する印刷制御部３４を備えている。上記印刷制御部３４は、使用者２によるタッチペン１２の操作によって選択されたシートレイアウトにより、プリント媒体１５に合成画像を印刷するよう制御する。
【００４７】
上記画像プリント作成装置の動作の一例について、図４のフローチャートを参照しながら説明する。ここで、図４において、「Ｓ」はステップを意味する。
【００４８】
まず、使用者２が最初のコインを投入すると（Ｓ１００）、カメラ６による被写体２の撮像が開始され（Ｓ１１０）、ディスプレイ８の表示部３６に撮像映像が動画としてリアルタイムで表示される。
【００４９】
ついで、使用者２がディスプレイ８の表示画像を見ながら被写体２の位置調整を完了した後に、タッチペン１２を用いて画面の指示に従ってシャッタ操作の操作信号を入力すると（Ｓ１２０）、使用者２にポーズをとるよう指示し、それから所定時間のカウントダウン後に、所定の瞬間の撮像映像が固定画像記憶部３８に固定される（Ｓ１３０）。このとき、ディスプレイ８には、そのときの撮影画像が静止画像として表示される。
【００５０】
つぎに、カウンタ２５が規定の撮影枚数のカウントに達しているか否かにより、規定の枚数に達していなければステップ１２０に戻ってシャッタ操作と画像の固定を繰り返し、規定の枚数に達していればつぎのステップに進む（Ｓ１４０）。
【００５１】
ステップ１４０において、規定の撮影回数に達していれば、図５に示すように、全ての撮影画像２１の一覧または、それらのうちの一部をディスプレイ８に表示して使用者２に対し、どの撮影画像２１をどちらのペン入力領域２９に割り振るかの決定を促す（Ｓ１５０）。この例では、４回のシャッタ操作により撮影された４枚の撮影画像２１が表示されている。
【００５２】
ここで、使用者２は、タッチペン１２の先端でペン入力画像等の入力対象とする好みの画像をタップすることにより、撮影画像の表示位置の割り当てを行なう（Ｓ１６０）。このとき、例えば、右側のタッチペン１２で選択された撮影画像は、右側のペン入力領域２９に割り当てられ、左側のタッチペン１２で選択された撮影画像は、左側のペン入力領域２９に割り当てられる。なお、撮影画像２１の表示位置の割り当てを自動的に決定するようにしてもよい。
【００５３】
撮影画像２１の割り当てが終了すると、ペン入力画像の入力が開始される（Ｓ１７０）。ここで、手書き画像のペン入力画面の一例を図６に示す。この例では、画面が右と左に区分されており、画面右側の領域が右のタッチペン１２によってペン入力が行なわれる右ペン用のペン入力領域２９であり、画面左側の領域が左のタッチペン１２によってペン入力が行なわれる左ペン用のペン入力領域２９である。そして、それぞれのペン入力領域２９に、ステップ１６０で割り当てられた撮影画像２１を表示しうるようになっている。
【００５４】
上記ペン入力画面には、それぞれのペン入力領域２９に、画像選択ボタン２４が表示されている。上記画像選択ボタン２４には、そのペン入力領域２９に割り当てられた撮影画像２１の縮小画像が表示され、その縮小画像が表示された画像選択ボタン２４を操作することにより当該縮小画像に対応する撮影画像２１をそのペン入力領域２９に表示し、ペン入力を行ないうるようになっている。
【００５５】
そして、ペン入力の開始前，途中，終了後のうち所望のタイミングであっても、画像選択ボタン２４を操作することにより、ペン入力領域２９に表示する画像を他の撮影画像２１に切り替えてペン入力を行ないうるようになっている。
【００５６】
また、上記ペン入力画面には、ペン入力の入力モードを選択する入力モード選択ボタン２２が表示されている。この入力モード選択ボタン２２を操作することにより、手書き画像のモードやスタンプ画像の種類を選択したり、消去モードを選択したりできるようになっている。
【００５７】
また、上記ペン入力画面には、直近に入力されたペン入力画像を消去する取消ボタン２７と、当該撮影画像２１に入力されたすべてのペン入力画像を消去するやり直しボタン２８とが表示されている。また、上記ペン入力画面には、ペン入力を終了する際に操作する入力終了ボタン２３が表示されている。
【００５８】
そして、図７に示すように、各ペン入力領域２９に表示された撮影画像２１に対してタッチペン１２で手書き画像４１やスタンプ画像４２を入力すると、入力された手書き画像４１やスタンプ画像４２は、ペン入力領域２９の撮影画像２１に表示されるとともに、画像選択ボタン２４の縮小画像にも表示される。
【００５９】
ペン入力する画像を切り替える場合には、画像選択ボタン２４をタッチペン１２で操作することにより、ペン入力領域２９に表示する撮影画像２１を切り替え、ペン入力を行なうことができる。また、元の撮影画像２１に戻して続きのペン入力を行なうこともできる。
【００６０】
そして、手書き画像等の入力は、タイマ２６の計測時間があらかじめ設定された所定の入力可能時間（例えば９０秒等）に達するまで続けられる（Ｓ１８０）。入力可能時間に達すると、撮影画像２１にペン入力画像が入力された合成画像のうち、使用者２がプリントを希望する合成画像を選択する（Ｓ１８５）。このとき、すべての合成画像を選択することもできる。
【００６１】
そして、印刷の際のシートレイアウトの選択が行なわれ（Ｓ１９０）、合成画像の画像データがプリンタ９に送られ、印刷が開始される（Ｓ２００）。そして、被写体２の撮影画像とペン入力画像等が合成された合成画像が印刷されたプリント媒体１５が送出される。
【００６２】
このように、上記画像プリント作成装置および方法によれば、撮影画像２１に対して入力されたペン入力画像は、縮小画像と合成されて画像選択ボタン２４に表示され、使用者２はペン入力画像の入力状態を常に確認することができる。
【００６３】
そして、上記画像プリント作成方法は、コンピュータ装置７で実行されるプログラムによって実現され、上記プログラムは、ＣＤ−ＲＯＭ等の記録媒体にコンピュータ読み取り可能に記録されて提供されたり、あるいは通信回線等を介して提供される。
【００６４】
なお、上記実施の形態において、コンピュータ装置７に、撮影画像選択手段を設け、一覧表示された複数の撮影画像のなかから使用者がタッチペン１２を操作して、ペン入力画像の入力対象とする画像を選択するようにしてもよい。このとき選択させる画像はひとつでもよいし複数でもよい。
【００６５】
また、上記撮影画像選択手段により、第２画像の入力対象とする撮影画像を選択しない入力を受付可能にしてもよい。このようにすることにより、例えば、得られた撮影画像のなかに気に入ったものがない場合に撮影のやり直しを行なうようにしたり、第２画像の入力の必要がない場合に、撮影画像だけをプリント出力したりできる。
【００６６】
また、上記実施の形態では、コインの投入により撮影を開始し、追加コインの投入により撮影可能回数の追加や手書き画像入力可能時間の延長を行なうようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。さらに、コイン等の対価を要求することなく撮影を行なう場合も含む趣旨である。
【００６７】
また、上記実施の形態では、カメラ６での撮像映像とペン入力画像等とのふたつの画像を合成するようにしたが、これに限定するものではなく、これらの画像に、さらに前景や背景等になるフレーム画像を合成するようにしてもよい。
【００６８】
また、上記実施の形態において、撮影を複数回行なって複数の撮影画像から使用者が好みの画像を選択するとともに、選択した画像の少なくとも１枚を複写するようにしてもよい。さらに、上記各実施の形態において、並べて同時に表示する撮影画像は、２枚に限定するものではなく、３枚以上にしてもよい。
【００６９】
また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
【００７０】
また、上記実施の形態では、カメラ６での撮影回数をカウンタ２５でカウントし、あらかじめ設定された撮影可能回数に達したときに、撮影画像の選択を行なうようにしたが、これに限定するものではなく、カメラ６での撮影可能時間をタイマ２６で計測し、あらかじめ設定された撮影可能時間に達したときに、撮影画像の選択を行なうようにしてもよい。
【００７１】
また、上記実施の形態では、スタンプ画像は、スタンプ画像格納部（図示せず）に格納されたものを用いるようにしたが、これに限定するものではなく、フロッピディスク，ＣＤ−ＲＯＭ，ＣＤ−Ｒ，光磁気ディスク等の各種の記憶媒体に記憶された画像データを読取って使用するようにすることもできる。
【００７２】
【発明の効果】
以上のように、本発明によれば、撮影画像に対して入力された第２画像は、縮小画像と合成されて縮小画像表示部に表示され、使用者は第２画像の入力状態を常に確認することができる。
【図面の簡単な説明】
【図１】本発明の画像プリント作成装置の一実施の形態を示す断面図である。
【図２】上記画像プリント作成装置の筐体を示す正面図である。
【図３】コンピュータ装置のシステム構成図である。
【図４】上記写真撮影装置の動作を説明するフローチャート図である。
【図５】撮影画像の選択画面を示す図である。
【図６】手書き画像の入力画面を示す図である。
【図７】手書き画像の入力画面を示す図である。
【図８】従来例を示す断面図である。
【符号の説明】
１    筐体
２    被写体（使用者）
３    支柱
４    ライト
５    カーテン
６    カメラ
７    コンピュータ装置
８    ディスプレイ
９    プリンタ
１０    透明板
１１    コントローラ
１２    タッチペン
１５    プリント媒体
１７    コイン検出部
１８    コイン投入口
１９    送出口
２１    撮影画像
２２    入力モード選択ボタン
２３    入力終了ボタン
２４    画像選択ボタン
２５    カウンタ
２６    タイマ
２７    取消ボタン
２８    やり直しボタン
２９    ペン入力領域
３０    画像合成手段
３１    制御手段
３２    ペン入力画像記憶部
３３    合成画像選択手段
３４    印刷制御部
３５    入力部
３６    表示部
３８    固定画像記憶部
３９    画像選択手段
４１    手書き画像
４２    スタンプ画像
５１    コントローラ
５２    本体
５３    ハーフミラー
５４    被写体
５５    カメラ
５６    モニタ
５７    プリンタ
５８    写真プリント
【図１】
0004672923.tif 000002
【図２】
0004672923.tif 000003
【図３】
0004672923.tif 000004
【図４】
0004672923.tif 000005
【図５】
0004672923.tif 000006
【図６】
0004672923.tif 000007
【図７】
0004672923.tif 000008
【図８】
0004672923.tif 000009